(57)【要約】【課題】主蓋体、副蓋体、及び、パッキンを、それぞれ分離して、容易に洗うことができるとともに、再度容易に組付けることができる収納容器を提供する。【解決手段】上方開口部１を有する容器本体２と、上方開口部１を施蓋するとともに注ぎ口３を有する主蓋体４と、主蓋体４に枢着されて注ぎ口３を施蓋する副蓋体５と、主蓋体４と副蓋体５との間を密封するパッキン６と、を備える。パッキン６が弾性帯状部７を一体として有する。弾性帯状部７の一端が主蓋体４に取着される。副蓋体５が開蓋状態では帯状部７が展開状態となり、副蓋体５が施蓋状態では帯状部７が中間位置にて折曲がった折重なり状態となって、折重なり状態から展開状態への復元弾発力によって、副蓋体５が開く方向に弾発付勢されるように構成する。【選択図】図４
2016210472.tif 000002
【特許請求の範囲】
【請求項１】
上方開口部（１）を有する容器本体（２）と、上記上方開口部（１）を施蓋するとともに注ぎ口（３）を有する主蓋体（４）と、該主蓋体（４）に枢着されて上記注ぎ口（３）を施蓋する副蓋体（５）と、上記主蓋体（４）と副蓋体（５）との間を密封するパッキン（６）と、を備え、
上記パッキン（６）がラジアル外方向突出状の弾性帯状部（７）を一体として有し、該弾性帯状部（７）の一端（13）が上記主蓋体（４）に着脱自在として取着され、
上記副蓋体（５）が開蓋状態では上記帯状部（７）が展開状態となり、上記副蓋体（５）が施蓋状態では上記帯状部（７）が中間位置にて折曲がった折重なり状態となって、上記折重なり状態から展開状態への復元弾発力（Ｆ）によって、副蓋体（５）が開く方向に弾発付勢されるように構成したことを特徴とする収納容器。
【請求項２】
上記展開状態に於て、上記副蓋体（５）の一部を下方から支持するサポート当接部（８）を、上記主蓋体（４）に設けている請求項１記載の収納容器。
【請求項３】
上記展開状態における上記帯状部（７）の上面（14）に、突部（15）を形成して、上記折重なり状態では、該突部（15）が弾性圧縮変形して上記復元弾発力（Ｆ）を補強するように構成した請求項１又は２記載の収納容器。
【発明の詳細な説明】
【技術分野】
【０００１】
本発明は、収納容器に関する。
【背景技術】
【０００２】
従来、容器本体の上方開口部を施蓋するとともに注ぎ口を有する主蓋体と、注ぎ口を施蓋する副蓋体を有し、主蓋体と副蓋体の係合を外すと、副蓋体に連結された弾性屈曲部の弾発力によって、副蓋体が開く収納容器が公知である（例えば、特許文献１参照）。
【０００３】
しかし、主蓋体と副蓋体とは弾性屈曲部を介して一体化されており、分離できないので、使用後に洗う際、洗いにくいという欠点があった。また、細部を洗いにくく、非衛生的だという欠点があった。
【先行技術文献】
【特許文献】
【０００４】
【特許文献１】特許第４７８４９８６号公報
【発明の概要】
【発明が解決しようとする課題】
【０００５】
解決しようとする課題は、洗う際、洗いにくい点である。
【課題を解決するための手段】
【０００６】
そこで、本発明に係る収納容器は、上方開口部を有する容器本体と、上記上方開口部を施蓋するとともに注ぎ口を有する主蓋体と、該主蓋体に枢着されて上記注ぎ口を施蓋する副蓋体と、上記主蓋体と副蓋体との間を密封するパッキンと、を備え、上記パッキンがラジアル外方向突出状の弾性帯状部を一体として有し、該弾性帯状部の一端が上記主蓋体に着脱自在として取着され、上記副蓋体が開蓋状態では上記帯状部が展開状態となり、上記副蓋体が施蓋状態では上記帯状部が中間位置にて折曲がった折重なり状態となって、上記折重なり状態から展開状態への復元弾発力によって、副蓋体が開く方向に弾発付勢されるように構成したものである。
【０００７】
また、上記展開状態に於て、上記副蓋体の一部を下方から支持するサポート当接部を、上記主蓋体に設けているものである。
また、上記展開状態における上記帯状部の上面に、突部を形成して、上記折重なり状態では、該突部が弾性圧縮変形して上記復元弾発力を補強するように構成したものである。
【発明の効果】
【０００８】
本発明の収納容器によれば、パッキンを副蓋体（主蓋体）から分離させ、容易に洗うことができるとともに、再度容易に組付けることができる。特に、（パッキンと一体として）帯状部が離脱分離可能なため、工場での組立てが容易であるとともに、家庭に於て、主婦や子供が洗浄のために分離・組立てする際も容易に行なうことができる。また、構造が簡素である。また、スムーズにオープン作動する。
【図面の簡単な説明】
【０００９】
【図１】本発明の第１の実施の形態の副蓋体の開蓋状態を示す平面図である。
【図２】副蓋体の施蓋状態を示す平面図である。
【図３】図１のＡ−Ａ断面図である。
【図４】図２のＢ−Ｂ断面図である。
【図５】帯状部の展開状態を示す説明図である。
【図６】帯状部の折重なり状態を示す説明図である。
【図７】分解図である。
【図８】図１の２点鎖線部分の図であって、（Ａ）は要部拡大図、（Ｂ）は（Ａ）のＣ−Ｃ断面図である。
【図９】第２の実施の形態に於ける帯状部の展開状態を示す説明図である。
【図１０】帯状部の折重なり状態を示す説明図である。
【図１１】第３の実施の形態に於ける帯状部の展開状態を示す説明図である。
【図１２】帯状部の折重なり状態を示す説明図である。
【発明を実施するための形態】
【００１０】
以下、図示の実施の形態に基づいて本発明を詳説する。
図１〜図４は、本発明の第１の実施の形態を示す。この収納容器は、内部に例えば液体、粉体等を収納して用いられる。上方開口部１を有する容器本体２と、上方開口部１を施蓋するとともに注ぎ口３を有する主蓋体４と、主蓋体４に枢着されて注ぎ口３を施蓋する副蓋体５と、主蓋体４と副蓋体５との間を密封する弾性材から成るパッキン６と、を備える。さらに、シール材17が容器本体２の上方開口部１と、主蓋体４の下端縁部との間に介設されている。容器本体２に主蓋体４が雄ネジ・雌ネジの螺合により取付分離自在である。図３・図４中のＸは副蓋体５の軸心位置（枢支点）を示す。
【００１１】
図１・図５・図６に示すように、パッキン６は、短円筒部６Ａと、円環平板部（外鍔片部）６Ｂとから成る。パッキン６が（平面視）ラジアル外方向に突出状の弾性帯状部７を一体として有する。帯状部の下面19が同一平面状である。図３のように、副蓋体５の内面に、安定して密に接触保持することができる。
【００１２】
弾性帯状部７の一端13が主蓋体４に着脱自在として取着される。具体的には、主蓋体４が、帯状部７の一端13を上方から差込むための一文字状孔部16を有し、一文字状孔部16に帯状部７の一端13を弾性圧縮させつつ圧入して（押込んで）、帯状部７を主蓋体４に取着する。弾性反発力による保持力を生じて不意に外れない。帯状部７は、帯状部７の一端13近傍に、一端13が一文字状孔部16へ深く入り込まないように位置決めする段付部（当り部）20を有する。さらに、段付部20は、図６に示すように、主蓋体４のブリッジ部25の上面からの反力Ｐを受けて、折曲がった下方片部７Ａが過大に下方へ変形せず図６の姿勢を保つ。
【００１３】
副蓋体５（図１〜図４参照）が開蓋状態では帯状部７が展開状態となり、副蓋体５が施蓋状態では帯状部７が中間位置にて折曲がった折重なり状態となって、折重なり状態から展開状態への復元弾発力Ｆ（図６参照）によって、副蓋体５が開く方向に弾発付勢されるように構成される。復元弾発力Ｆによって、回転モーメント（弾性復元モーメント）Ｍが生じる。
【００１４】
注ぎ口３は、平面視に於て、主蓋体４の外形円に対して偏心した位置に配設されている。副蓋体５が外方へ突出する突出量（図１の突出寸法Ｅ）を小さくすることができる。
【００１５】
展開状態に於て、副蓋体５の一部を下方から支持するサポート当接部８を、主蓋体４に設けている。具体的には、主蓋体４が、主蓋体４の蓋部上面18と注ぎ口３形成用円筒部とを橋絡する上方凸状ブリッジ部25を有し、ブリッジ部25の一部がサポート当接部８として副蓋体５の一部を下方から支持し、副蓋体５が過度に開くのを防止する。ブリッジ部25によって、枢支点Ｘの近傍部位の強度と剛性が高いという利点がある。上記一文字状孔部16は、ブリッジ部25に形成される。
【００１６】
図１・図２・図７・図８に示すように、ブリッジ部25の上部には、平行な２枚の起立片部25Ａ，25Ａが形成される。この起立片部25Ａの内面に軸部９をスライドさせて枢支するスライド溝10が形成される。スライド溝10は、入口部11が拡大状とされ、かつ、奥部12が蟻溝状に形成される。副蓋体５が、主蓋体４の起立片部25Ａに枢着するための左右側外方突出状の軸部９を有する。
【００１７】
図４に示すように、主蓋体４と副蓋体５は、係止部23にて係止している。この係止部23は、副蓋体５の係止突部21と主蓋体４の被係止段付部22とから成る。係止突部21と被係止段付部22の係止を離脱させると、帯状部７の復元弾発力Ｆ（図６参照）によって副蓋体５が開く。
【００１８】
次に、組付方法について説明する。図７に示すように、副蓋体５の軸部９を、主蓋体４のスライド溝10にスライドさせ、パッキン６を上方から装着する。このとき、主蓋体４の孔部16に帯状部７の一端13を差込む。あるいは、先にパッキン６を副蓋体５に組付けて、その後、副蓋体５の軸部９を、主蓋体４のスライド溝10にスライドさせ、主蓋体４の孔部16に帯状部７の一端13を差込む。
【００１９】
図９・図10は、第２の実施の形態を示す。展開状態における帯状部７の上面14の中間位置に、突部15が形成され、折重なり状態では、突部15が弾性圧縮変形して復元弾発力Ｆを補強するように構成する。すなわち、突部15によって、突部15を有さない場合の復元弾発力Ｆ（Ｆ0）（図６参照）に、補強弾発力が付加された復元弾発力Ｆ（Ｆ1）がはたらく。帯状部７の折曲部がメインの弾発的なオープン力を発生する主オープン手段であり、突部15は副蓋体５の開き始めの弾性的なオープン力（補強弾発力）を付与する副オープン手段と言える。その他の構成は、第１の実施の形態と同様である。
【００２０】
図11・図12は、第３の実施の形態を示す。展開状態における帯状部７の上面14の端部に、突部15が形成される。その他の構成は、第２の実施の形態と同様である。
【００２１】
なお、本発明は、設計変更可能であって、例えば、注ぎ口３の高さ寸法をほぼゼロに等しく設定するも良い。
【００２２】
以上のように、本発明は、上方開口部１を有する容器本体２と、上記上方開口部１を施蓋するとともに注ぎ口３を有する主蓋体４と、該主蓋体４に枢着されて上記注ぎ口３を施蓋する副蓋体５と、上記主蓋体４と副蓋体５との間を密封するパッキン６と、を備え、上記パッキン６がラジアル外方向に突出状の弾性帯状部７を一体として有し、該弾性帯状部７の一端13が上記主蓋体４に着脱自在として取着され、上記副蓋体５が開蓋状態では上記帯状部７が展開状態となり、上記副蓋体５が施蓋状態では上記帯状部７が中間位置にて折曲がった折重なり状態となって、上記折重なり状態から展開状態への復元弾発力Ｆによって、副蓋体５が開く方向に弾発付勢されるように構成したので、主蓋体４、副蓋体５、及び、パッキン６を、それぞれ分離して、容易に洗うことができる。よって、細部まで洗うことができ、衛生的である。また、再度容易に組付けることができる。特に、パッキン６の取付け（帯状部７の取付け）が容易である。よって、工場での組立てが容易であるとともに、家庭に於て、主婦や子供が洗浄のために分離・組立てする際も容易に行なうことができる。また、構造が簡素である。さらに、副蓋体５をスムーズにオープン作動させることが可能である。
【００２３】
上記展開状態に於て、上記副蓋体５の一部を下方から支持するサポート当接部８を、上記主蓋体４に設けているので、副蓋体５が過度に開く（揺動する）のを防止することができる。
【００２４】
上記展開状態における上記帯状部７の上面14に、突部15を形成して、上記折重なり状態では、該突部15が弾性圧縮変形して上記復元弾発力Ｆを補強するように構成したので、大きな復元弾発力Ｆを得ることができる。そして、副蓋体５が開く勢いを大きくすることができる。
【符号の説明】
【００２５】
１  上方開口部
２  容器本体
３  注ぎ口
４  主蓋体
５  副蓋体
６  パッキン
７  （弾性）帯状部
８  サポート当接部
14  上面
15  突部
Ｆ  復元弾発力
【図１】
2016210472.tif 000003
【図２】
2016210472.tif 000004
【図３】
2016210472.tif 000005
【図４】
2016210472.tif 000006
【図５】
2016210472.tif 000007
【図６】
2016210472.tif 000008
【図７】
2016210472.tif 000009
【図８】
2016210472.tif 000010
【図９】
2016210472.tif 000011
【図１０】
2016210472.tif 000012
【図１１】
2016210472.tif 000013
【図１２】
2016210472.tif 000014